(57)【要約】【課題】湿度に応じて最適な絞り機構の制御を行うことによって、能力不足に陥らない空気調和機を提供すること。【解決手段】室内熱交換器の略中央部の冷媒配管の温度を検出する中央温度検出手段５と、室内熱交換器が蒸発器として作用する際の冷媒配管の出口部の温度を検出する出口温度検出手段１４と、室内の湿度を検出する湿度センサ１５とを備え、中央温度検出手段で検出された温度Ｔｅｖａと、出口温度検出手段で検出された温度Ｔｅｖａ＿ｏｕｔとの温度差が、予め設定された所定の温度差ΔＴよりも大きい時は、絞り機構の開度を開くとともに、湿度センサにより検出される湿度が、予め設定された所定の湿度よりも低い場合は、絞り機構の開度の調整は行わない。【選択図】図１
2012002413.tif 000002
【特許請求の範囲】
【請求項１】
圧縮機、室外熱交換器、絞り機構、室内熱交換器、四方弁を環状に接続して構成される冷凍サイクルを有し、前記室内熱交換器の略中央部の冷媒配管の温度を検出する中央温度検出手段と、前記室内熱交換器が蒸発器として作用する際の冷媒配管の出口部の温度を検出する出口温度検出手段と、室内の湿度を検出する湿度センサとを備え、前記中央温度検出手段で検出された温度Ｔｅｖａと、前記出口温度検出手段で検出された温度Ｔｅｖａ＿ｏｕｔとの温度差が、予め設定された所定の温度差ΔＴよりも大きい時は、前記絞り機構の開度を開くとともに、前記湿度センサにより検出される湿度が、予め設定された所定の湿度よりも低い場合は、前記絞り機構の開度の調整は行わないことを特徴とする空気調和機。
【請求項２】
前記湿度センサにより検出される湿度に応じて、前記所定の温度差ΔＴを変更することを特徴とする請求項１に記載の空気調和機。
【発明の詳細な説明】
【技術分野】
【０００１】
本発明は、空気調和機の運転制御に関するものである。
【背景技術】
【０００２】
従来、空気調和機の室内熱交換器を１列にする場合、室内機の結露防止のために、出口側に補助熱交を配置したり、出口での過熱域を押さえる装置を備えたりしていた(例えば、特許文献１参照)。
【先行技術文献】
【特許文献】
【０００３】
【特許文献１】特開２００７−１２７３３３号公報
【発明の概要】
【発明が解決しようとする課題】
【０００４】
しかしながら、前記従来の構成では、室内熱交換器出口において過熱域が取れないように、絞り機構を調整するために、低湿度時など結露の可能性が低い場合でも絞り機構を調整するために能力不足に陥ることがあった。
【０００５】
本発明は、前記従来の課題を解決するもので、湿度に応じて最適な絞り機構の制御を行うことによって、能力不足に陥らない空気調和機を提供することを目的とする。
【課題を解決するための手段】
【０００６】
前記従来の課題を解決するために、本発明の空気調和機は、圧縮機、室外熱交換器、絞り機構、室内熱交換器、四方弁を環状に接続して構成される冷凍サイクルを有し、室内熱交換器の略中央部の冷媒配管の温度を検出する中央温度検出手段と、室内熱交換器が蒸発器として作用する際の冷媒配管の出口部の温度を検出する出口温度検出手段と、室内の湿度を検出する湿度センサとを備え、中央温度検出手段で検出された温度Ｔｅｖａと、出口温度検出手段で検出された温度Ｔｅｖａ＿ｏｕｔとの温度差が、予め設定された所定の温度差ΔＴよりも大きい時は、絞り機構の開度を開くとともに、湿度センサにより検出される湿度が、予め設定された所定の湿度よりも低い場合は、絞り機構の開度の調整は行わないことにより、低湿度で室内機への結露が発生しにくい場合には、絞り機構を調整せずに最大の能力で運転できるために、快適性の向上が可能となる。
【発明の効果】
【０００７】
本発明は、湿度に応じて最適な絞り機構の制御を行うことによって、能力不足に陥らない空気調和機を提供することができる。
【図面の簡単な説明】
【０００８】
【図１】本発明の実施の形態１における空気調和機の冷凍サイクルの構成図
【図２】同実施の形態１における制御のブロック図
【図３】同実施の形態１における空気調和機のフローチャート
【図４】同実施の形態１における他のフローチャート
【発明を実施するための形態】
【０００９】
第１の発明の空気調和機は、圧縮機、室外熱交換器、絞り機構、室内熱交換器、四方弁を環状に接続して構成される冷凍サイクルを有し、室内熱交換器の略中央部の冷媒配管の温度を検出する中央温度検出手段と、室内熱交換器が蒸発器として作用する際の冷媒配管
の出口部の温度を検出する出口温度検出手段と、室内の湿度を検出する湿度センサとを備え、中央温度検出手段で検出された温度Ｔｅｖａと、出口温度検出手段で検出された温度Ｔｅｖａ＿ｏｕｔとの温度差が、予め設定された所定の温度差ΔＴよりも大きい時は、絞り機構の開度を開くとともに、湿度センサにより検出される湿度が、予め設定された所定の湿度よりも低い場合は、絞り機構の開度の調整は行わないことにより、低湿度で室内機への結露が発生しにくい場合には、絞り機構を調整せずに最大の能力で運転できるために、快適性の向上が可能となる。
【００１０】
第２の発明は、特に、第１の発明の空気調和機において、湿度センサにより検出される湿度に応じて、所定の温度差ΔＴを変更することにより、室内器への結露の発生可能性高低を判定できるため、湿度に応じて、絞りの調整のための、熱交換器中央と出口温度の閾値を変更することにより、それぞれの湿度で最適な運転ができ、快適性を損なわない運転が可能となる。
【００１１】
以下、本発明の実施の形態について、図面を参照しながら説明する。なお、この実施の形態によって本発明が限定されるものではない。
【００１２】
（実施の形態１）
図１は本実施の形態１における空気調和機の冷凍サイクル構成図である。図１において、本実施の形態の空気調和機は、室内側ユニット１と室外側ユニット２から構成され、室内側ユニットには、室内吸い込み温度検知手段３、室内熱交換器４、室内熱交換器４の略中央部にある冷媒配管の温度を検出する中央温度検出手段５、室内送風装置６を備えている。
【００１３】
また、室外側ユニット２には、室外吸い込み温度検知手段７、室外熱交換器８、室外熱交換器温度検出手段９、室外送風装置１０、圧縮機１１、絞り機構１２、四方弁１３を備えている。
【００１４】
また、本実施の形態では、室内側ユニット１に、室内熱交換器４が蒸発器として作用する際の出口側の冷媒配管温度を検出する出口温度検出手段１４と、室内の湿度を検出する湿度センサ１５とを備えている。
【００１５】
図２は、本実施の形態１におけるブロック図である。図２に示すように、中央温度検出手段で検出される温度情報（Ｂ１）と、出口温度検出手段で検出される温度情報（Ｂ２）から、中央付近の温度と出口付近の温度との差異を検出し、温度差判定手段により現在の温度差を判定する（Ｂ４）。
【００１６】
さらに、湿度検出手段により検出された湿度情報を元に（Ｂ５）、絞り機構１２の開度を変更を判断する絞り開度変更実施判定手段により、絞り機構１２の開度を変更する必要性を判断し（Ｂ６）、さらに絞り開度を変更するための所定の温度差ΔＴを変更するための絞り開度変更閾値変更手段により、所定の温度差ΔＴの値を変更し（Ｂ７）、最後に絞り機構１２の開度を変更する（Ｂ８）。
【００１７】
図３は、本発明の実施の形態１におけるフローチャートである。まず、冷房系運転を開始した場合（ＳＴ１）、ＳＴ２にて、蒸発器中央温度Ｔｅｖａ、蒸発器出口温度Ｔｅｖａ＿ｏｕｔの検知を行う。なお、多パスの場合には、それぞれの出口に同じように冷媒出口配管の温度を検出するセンサを設けておき、それぞれについて検知を行う。
【００１８】
ＳＴ３では湿度センサにより検出された湿度を参照し、この湿度があらかじめ決められた値（ＲＨ１）よりも低い場合は、結露の可能性が低いと判断し、ＳＴ２へ進み絞り開度
の変更を行わない。
【００１９】
仮に、ＲＨ１よりも高い場合には、ＳＴ４では、ＳＴ２で取得した、蒸発器出口温度と蒸発器中央の温度差を計算し、温度差があらかじめ決められた温度差ΔＴ１よりも大きい場合、ＳＴ５へ進み、蒸発器の過熱域がなくなるまで絞り開度の変更を行う。
【００２０】
ＳＴ４で温度差がΔＴより小さい場合にはＳＴ２へ戻る。これにより、低湿度時には絞り開度の変更を行わないことで、最適な能力で運転でき、快適性の向上が可能になる。
【００２１】
図４は、実施の形態１における他のフローチャートである。図３と異なる箇所は、温度差ΔＴ１の値を湿度に応じて変更することである。
【００２２】
すなわち、冷房系運転を開始した場合（ＳＴ６）、ＳＴ７にて、蒸発器中央温度Ｔｅｖａ、蒸発器出口温度Ｔｅｖａ＿ｏｕｔの検知を行う。
【００２３】
そして、ＳＴ８では湿度センサにより検出された湿度を参照し、あらかじめ決められた湿度値（ＲＨ２）に応じて、ＳＴ９にて使用する、蒸発器出口温度と蒸発器中央の温度差の閾値（ΔＴ２）を決定する。
【００２４】
ＳＴ９では、ＳＴ２で取得した、蒸発器出口温度と蒸発器中央の温度差とを計算し、温度差があらかじめ決められた温度差ΔＴ２よりも大きい場合、ＳＴ５へ進み、蒸発器の過熱域がなくなるまで絞り開度の変更を行う。ＳＴ４で温度差がΔＴ２より小さい場合にはＳＴ２へ戻る。これにより、湿度に応じて、結露に対する信頼性と快適性を両立させることが可能となる。
【産業上の利用可能性】
【００２５】
以上のように、本発明にかかる空気調和機は、本体への結露を回避しながら、低湿度時の結露の可能性がない場合には、制御を行わないことで、結露に対する信頼性と快適性を両立させることが可能となるので、室内ファンと絞り機構を有する冷凍サイクル回路の結露対策等の用途にも適用できる。
【符号の説明】
【００２６】
１  室内側ユニット
２  室外側ユニット
３  室内吸い込み温度検知手段
４  室内熱交換器
５  中央温度検出手段
６  室内送風装置
７  室外吸い込み温度検知手段
８  室外熱交換器
９  室外熱交換器温度検出手段
１０  室外送風装置
１１  圧縮機
１２  絞り機構
１３  四方弁
１４  出口温度検出手段
１５  湿度センサ
【図１】
2012002413.tif 000003
【図２】
2012002413.tif 000004
【図３】
2012002413.tif 000005
【図４】
2012002413.tif 000006